(57)【特許請求の範囲】
【請求項１】
近紫外または青色光を発するＬＥＤが実装されるＬＥＤ光源基板と、
前記ＬＥＤ光源基板が取り付けられる基板取付部、この基板取付部の周枠側から前記ＬＥＤ光源基板が取り付けられた側と反対方向へほぼ直角方向に立ち上げられて形成する筒形状部、この筒形状部の外周かつ前記基板取付部側に設けられる本体係合部を有する本体と、
中空状の円筒形状をなし、内壁が前記外周に接触した状態で前記本体係合部に着脱可能に係合するカバー係合部を前記内壁に有する弾性部と、
この弾性部の一端から外方向に広がる略円形の連結部と、
この連結部の端部から半球状に形成され、内部が中空状のカバー部と、を備え、
前記弾性部は、
前記基板取付部側から前記筒形状部が立ち上げられた方向へ前記内壁が前記外周に接触するように前記本体に押し込まれ、前記カバー係合部が前記外周に接触し弾性変形することを特徴とする電球形ＬＥＤ。
【請求項２】
前記筒形状部が立ち上げられた方向において、前記本体は前記本体係合部の側方に前記外周を有し、前記弾性部は前記カバー係合部の側方に前記内壁を有することを特徴とする請求項１に記載の電球形ＬＥＤ。
【請求項３】
前記本体係合部は、凸形状または凹形状をなし、
前記カバー係合部は、前記凸形状に嵌まり込む凹形状、または、前記凹形状に嵌まり込む凸形状をなすことを特徴とする請求項１または請求項２のいずれかに記載の電球形ＬＥＤ。
【請求項４】
前記本体は、前記弾性部に押されるとき、前記ＬＥＤを点灯させるスイッチを有することを特徴とする請求項１〜請求項３のいずれかに記載の電球形ＬＥＤ。
【発明の詳細な説明】
【技術分野】
【０００１】
本発明は、発光ダイオード素子から放射される光を波長変換する電球形ＬＥＤに関するものである。
【背景技術】
【０００２】
従来の電球形ＬＥＤによれば、発光ダイオード素子本体を蛍光材で覆い、発光ダイオードが放射する青色光を励起させて白色光などに波長変換するように構成されている。また、別手段として発光ダイオードが放射する青色光を蛍光材が塗布されたカバーにて波長変換するように構成されているものがある。（例えば特許文献１参照）
【先行技術文献】
【特許文献】
【０００３】
【特許文献１】特開２００６−１５６１８７号公報
【発明の概要】
【発明が解決しようとする課題】
【０００４】
しかしながら、発光ダイオード素子本体を蛍光材で覆い、波長変換させて光源とした場合は、電球形ＬＥＤの光色を変更する際、発光ダイオード素子本体を変更する必要がある。また、蛍光材が塗布されたカバーにて波長変換する場合においても、外部カバーが波長変換カバーの外周部に固定されている。そのため電球形ＬＥＤの光色を変更するためには電球形ＬＥＤそのものを取り換えなければならないという課題がある。
さらに、外部カバーが落下等により破損・変形してしまった場合、電球形ＬＥＤの寿命が十分にあったとしても使用出来なくなる。
【０００５】
本発明は、電球形ＬＥＤの光色を簡単に変更可能とし、外部カバーが破損・変形した場合においても外部カバーの交換にて使用可能とする電球形ＬＥＤを提供することを目的とする。
【課題を解決するための手段】
【０００６】
本発明にかかる電球形ＬＥＤは、  近紫外または青色光を発するＬＥＤが実装されるＬＥＤ光源基板と、前記ＬＥＤ光源基板が取り付けられる基板取付部、この基板取付部の周枠側からほぼ直角方向に立ち上げられて形成する筒形状部、この筒形状部の外周かつ前記基板取付部側に設けられる本体係合部を有する本体と、中空状の円筒形状をなし、内壁に前記本体係合部に着脱可能に係合するカバー係合部を有する弾性変形可能な弾性部と、この弾性部の一端から外方向に広がる略円形の連結部と、この連結部の端部から半球状に形成され、内部が中空状のカバー部と、前記カバー部の内壁に塗布され、前記ＬＥＤが発する光の波長を変換する蛍光体と、を有する。
【発明の効果】
【０００７】
本発明にかかる電球形ＬＥＤによれば、本体から波長変換カバーが取り外し可能となっているため、波長変換カバーを簡単に交換できるので、異なる光色の波長変換カバーに交換することにより容易に電球形ＬＥＤの光色が変更できる。
【図面の簡単な説明】
【０００８】
【図１】実施の形態１の電球形ＬＥＤの外観を示す斜視図である。
【図２】図１の電球形ＬＥＤ本体から波長変換カバーを取り外した状態を示す斜視図である。
【図３】図１の電球形ＬＥＤを分解した状態を示す分解図である。
【図４】図１の電球形ＬＥＤの断面を示す断面図である。
【図５】図２の電球形ＬＥＤの断面を示す断面図である。
【図６】図２の電球形ＬＥＤの波長変換カバーを示す斜視図である。
【図７】図６の波長変換カバーの平面を示す平面図である。
【図８】図２の電球形ＬＥＤ本体の正面を示す正面図である。
【図９】図８の電球形ＬＥＤ本体から透光カバーを外した状態を示す正面図である。
【図１０】図５の電球形ＬＥＤの一部を拡大した拡大断面図である。
【図１１】実施の形態２の電球形ＬＥＤの断面を示す断面図である。
【図１２】図１１の電球形ＬＥＤ本体から波長変換カバーを取り外した状態を示す断面図である。
【図１３】図１２の電球形ＬＥＤ本体のＡ−Ａ断面を示す断面図である。
【図１４】図１２の波長変換カバーの平面を示す平面図である。
【図１５】実施の形態３の電球形ＬＥＤの断面を示す断面図である。
【図１６】図１５の電球形ＬＥＤ本体から波長変換カバーを取り外した状態を示す断面図である。
【図１７】実施の形態４の電球形ＬＥＤの断面を示す断面図である。
【図１８】図１７の電球形ＬＥＤ本体から波長変換カバーを取り外した状態を示す断面図である。
【発明を実施するための形態】
【０００９】
実施の形態１．
図１は、実施の形態１の電球形ＬＥＤの外観図である。
【００１０】
電球形ＬＥＤ１０００は、両端が開口されたラッパ形状の電球形ＬＥＤ本体１００と、この電球形ＬＥＤ本体１００の一端に取付けられる口金部２００と、電球形ＬＥＤ本体１００の他端に取付けられる波長変換カバー３００と、を備える。
【００１１】
図２は、図１の電球形ＬＥＤ本体から波長変換カバーを取り外した状態を示す斜視図であり、図３は、図１の電球形ＬＥＤを分解した状態を示す分解図であり、図４は、図１の電球形ＬＥＤの断面を示す断面図である。
【００１２】
電球形ＬＥＤ本体１００は、外郭を形成する外郭部１１０と、この外郭部１１０の内側に設けられる円筒形状の本体１２０と、この本体１２０の内部に収納されるＬＥＤ電源装置１３０と、外郭部１１０の外方に延出する１６枚の放熱部１４０と、本体１２０に取付けられるＬＥＤ光源基板１５０と、このＬＥＤ光源基板１５０を覆うように本体１２０に取付けられる透光カバー１６０と、を備える。
【００１３】
本体１２０は、放熱性を良くするために熱伝導性の高い金属、例えばアルミニウムにて構成されている。
【００１４】
本体１２０は、ＬＥＤ光源基板１５０及びこのＬＥＤ光源基板１５０を覆う透光カバー１６０が取付けられる基板取付部１２１と、この基板取付部１２１と同一円周の筒形状部１２２と、この筒形状部１２２の外周に本体係合部１２３と、を一体的に形成している。
【００１５】
本体係合部１２３は、筒形状部１２２に溝状に形成され、リング状の凹形状となっている。
【００１６】
ＬＥＤ電源装置１３０は、電源回路部１３１と、この電源回路部１３１から引き出され、口金部２００に接続される口金用電線１３２と、同じく電源回路部１３１から引き出され、ＬＥＤ光源基板１５０に接続される基板用電線１３３と、を備える。
【００１７】
ＬＥＤ光源基板１５０は、平面状に形成される基板１５１と、この基板１５１に実装される青色光（または近紫外光）を出力する複数の発光ダイオード素子１５２（以下、ＬＥＤ１５２という。）と、基板取付部１２１に取り付けるための基板取付穴１５３を有する。
【００１８】
ＬＥＤ光源基板１５０は、ＬＥＤ１５２より放出される熱を電球形ＬＥＤ本体１００へ効率良く放熱させるために本体１２０の基板取付部１２１に取付ネジ１７０により取り付けられている。ＬＥＤ光源基板１５０と基板取付部１２１との密着性を高めることによって、熱伝導率を高める（熱抵抗を低くする）ことができ、ＬＥＤ１５２が発光することによって生じる熱を、電球形ＬＥＤ本体１００に熱伝導させて、放熱部１４０より放熱させる。
【００１９】
透光カバー１６０は、透光性のある合成樹脂であり、半球状に形成される半球カバー部１６１と、この半球カバー部１６１の外方に突出する取付平面部１６２と、ＬＥＤ光源基板１５０とともに基板取付部１２１に取り付けるためのカバー取付穴１６３と、を備える。
【００２０】
半球カバー部１６１は、透明または透光性を有する。
【００２１】
取付平面部１６２は、取付ネジ１７０によって、ＬＥＤ光源基板１５０とともに本体１２０に共締めされ、半球カバー部１６１が、ＬＥＤ光源基板１５０のＬＥＤ１５２及び基板１２０の配線を覆うことによって、直接ユーザーがＬＥＤ１５２の電極などに触れて感電するのを防止している。
【００２２】
口金部２００は、らせん状にねじ切られ、図示しない照明器具のランプソケット（Ｅ２６形口金ソケットなど）に装着される。
【００２３】
口金部２００から給電された商用電源は、ＬＥＤ電源装置１３０へ電気的に接続され、ＬＥＤ電源装置１３０からＬＥＤ光源基板１５０へ給電される。
【００２４】
ランプソケットには、一般的に商用電源が供給されるので、ランプソケットに接続される口金部２００から口金用電線１３２を介して電源回路部１３１に商用電源が供給され、ＬＥＤ１５２を点灯するための電力に変換して、基板用電線１３３を介してＬＥＤ光源基板１５０へ給電する。
【００２５】
図５は、図２の電球形ＬＥＤの断面を示す断面図であり、図６は、図１の電球形ＬＥＤの波長変換カバーを示す斜視図であり、図７は、図６の波長変換カバーの平面を示す平面図であり、図８は、図２の電球形ＬＥＤ本体の正面を示す正面図であり、図９は、図８の電球形ＬＥＤ本体から透光カバーを外した状態を示す正面図である。
【００２６】
波長変換カバー３００は、中空状の円筒形状をなし、本体１２０に嵌め込まれる弾性変形可能な弾性部３１０と、この弾性部３１０の一端から外方向に広がる略円形の連結部３２０と、この連結部３２０の端部から半球状に形成され、内部が中空状のカバー部３３０と、を備える。この波長変換カバー３００の弾性部３１０が本体１２０の周枠に嵌め込まれ、カバー部３３０がＬＥＤ光源基板１５０および透光カバー１６０を覆う。
【００２７】
この波長変換カバー３００は、合成樹脂からなり、弾性部３１０と、連結部３２０と、カバー部３３０が一体的に形成されている。
【００２８】
弾性部３１０は、内壁から内側に突出する凸部形状のカバー係合部３１１と、外壁にカバー係合部３１１を形成するときに生じる凹部３１２と、を有する。
【００２９】
カバー係合部３１１の凸部形状は、Ｒ形状（断面形状が半円形状）とし、本体係合部１２３との引っかかりを少なくして取り付け、取り外しが容易にできるようになっている。なお、本実施の形態では、カバー係合部３１１の凸部形状がＲ形状の場合について説明するが、他の形状、例えば、尖り形状でも構わなく、また、電球形ＬＥＤ本体１００側に凸部、波長変換カバー３００側に凹部を形成するようにしても構わない。
【００３０】
凹部３１２は、カバー係合部３１１の凸部形状のＲ形状に応じた形となっており、弾性部３１０、カバー係合部３１１の弾性変形を補助する。
【００３１】
カバー部３３０は、半球中空状またはドーム状に形成され、内壁に蛍光体３３１が塗布されている。
【００３２】
蛍光体３３１は、ＬＥＤ１５２が発する青色の光（または紫外光）によって励起され、ＬＥＤ１５２が発する光の波長と異なる波長の光に波長変換する。この蛍光体３３１によって波長変換された光は、蛍光体３３１によって変換されずに透過するＬＥＤ１５２が発する光と合成されて白色光となる。
【００３３】
蛍光体３３１は、たとえば赤色変換蛍光体、緑色変換蛍光体、青色変換蛍光体を混合した蛍光部材であり、この混合比を変えることにより多種類の蛍光体を作ることができる。
【００３４】
ここで、波長変換カバー３００の開口部分と、筒形状部１２２の外形と、カバー係合部３１１の外形の大きさの関係について説明する。
【００３５】
図１０は、図５の電球形ＬＥＤの一部を拡大した拡大断面図である。
【００３６】
波長変換カバー３００の開口部分の内径をφＤとし、筒形状部１２２の最大外形をφＥとし、カバー係合部３１１の最小外形をφＦとする。
【００３７】
このとき、波長変換カバー３００の開口部分の内径φＤと、筒形状部１２２の最大外形φＥの関係は、φＤ≧φＥとなっている。
【００３８】
また、カバー係合部３１１の最小外形φＦと、筒形状部１２２の最大外形φＥの関係は、φＥ＞φＦとなっている。
【００３９】
次に、電球形ＬＥＤ本体１００に波長変換カバー３００を着脱する工程について説明する。
【００４０】
まず、電球形ＬＥＤ本体１００に、波長変換カバー３００を取付ける工程について説明する。
【００４１】
ユーザーは、波長変換カバー３００のカバー部３３０を把持し、弾性部３１０を本体１２０に押し当てる。このとき、波長変換カバー３００の弾性部３１０（開口部分）が、本体１２０の先端に接触した後、波長変換カバー３００を押し込むと、弾性部３１０の内壁が本体１２０の外周に接触していき、次に、カバー係合部３１１が本体１２０の外周に接触して、弾性部３１０が押し広げられる。
【００４２】
波長変換カバー３００（弾性部３１０）の開口部の内径φＤは、電球形ＬＥＤ本体１００の本体係合部１２３を有する筒形状部１２２の最大外径φＥより大きく設定されている。
【００４３】
また、カバー係合部３１１の凸部の最小外径φＦは、筒形状部１２２の最大外径φＥより小さく設定されており、また、合成樹脂で一体成形されているため、波長変換カバー３００を電球形ＬＥＤ本体１００へ取り付ける時にカバー係合部３１１の先端部を筒形状部１２２に当てて押し込むと、カバー係合部３１１が変形して、筒形状部１２２の側面を乗り越え、本体係合部１２３の位置に達すると、カバー係合部３１１が復元して本体係合部１２３に嵌り込む構造となっている。
【００４４】
さらに、波長変換カバー３００を電球形ＬＥＤ本体１００に押し込むと、カバー係合部３１１が本体係合部１２３に嵌り込み、弾性部３１０の弾性変形が解除され、弾性部３１０の内壁が筒形状部１２２の外周に接触する。このようにして、波長変換カバー３００を電球形ＬＥＤ本体１００に取付けることができる。
【００４５】
次に、波長変換カバー３００を電球形ＬＥＤ本体１００から取り外す工程について説明する。
【００４６】
波長変換カバー３００のカバー部３３０を把持し、電球形ＬＥＤ本体１００から引っ張ると、カバー係合部３１１が本体係合部１２３から外れ、カバー係合部３１１が電球形ＬＥＤ本体１００の外周に接触し、弾性部３１０が弾性変形する。
【００４７】
さらに波長変換カバー３００を引っ張ると、弾性部３１０が電球形ＬＥＤ本体１００から外れ、弾性部３１０の弾性変形が解除され、電球形ＬＥＤ本体１００から波長変換カバー３００が外れる。
【００４８】
電球形ＬＥＤ１０００の光色を変更したい場合には、他の発光色に変換する蛍光体が塗布された波長変換カバーを、上述の取り付け方法にて、電球形ＬＥＤ本体１００に取付ける。
【００４９】
なお、この実施の形態では、透光カバー１６０をＬＥＤ光源基板１５０とともに共締めする場合について説明したが、透光カバー１６０とＬＥＤ光源基板１５０を別々に本体１２０などに固定してもよい。
【００５０】
また、この実施の形態では、本体１２０の形状を円筒形状の場合について説明したが、６角柱や８角柱などの形状であってもよく、この場合、弾性部３１０の形状を本体１２０の形状に合わせるとよい。
【００５１】
この実施の形態における電球形ＬＥＤ１０００は、ＬＥＤ電源装置１３０、ＬＥＤ光源基板１５０を取り付けられる構造の電球形ＬＥＤ本体１００に着脱可能な波長変換カバー３００を有するので、容易に波長変換カバー３００が交換可能となり、ユーザーが容易に光色を変更することが可能となる。
【００５２】
この実施の形態における電球形ＬＥＤ１０００は、ＬＥＤ電源装置１３０、ＬＥＤ光源基板１５０を取付られる構造の電球形ＬＥＤ本体１００と、波長変換カバー３００を有するので、波長変換カバー３００が取り扱い等にて破損・変形した場合、電球形ＬＥＤ１０００ごと交換せずに波長変換カバー３００のみを交換することが可能であり、電球形ＬＥＤ本体１００の寿命まで使用することが可能となる。
【００５３】
実施の形態２．
本実施の形態は、実施の形態１の電球形ＬＥＤの本体係合部とカバー係合部の形状が異なるものである。
本実施の形態において、実施の形態１と同様の構成については同符号を付して説明を省略し、異なる構成について詳細に説明する。
【００５４】
図１１は、実施の形態２の電球形ＬＥＤの断面を示す断面図であり、図１２は、図１１の電球形ＬＥＤ本体から波長変換カバーを取り外した状態を示す断面図であり、図１３は、図１２の電球形ＬＥＤ本体のＡ−Ａ断面を示す断面図であり、図１４は、図１１の波長変換カバーの平面を示す平面図である。
【００５５】
電球形ＬＥＤ１０００ａは、両端が開口されたラッパ形状の電球形ＬＥＤ本体１００ａと、この電球形ＬＥＤ本体１００ａの一端に取付けられる口金部２００と、電球形ＬＥＤ本体１００ａの他端に取付けられる波長変換カバー３００ａと、を備える。
【００５６】
電球形ＬＥＤ本体１００ａは、外郭を形成する外郭部１１０と、この外郭部１１０の内側に設けられる円筒形状の本体１２０ａと、この本体１２０ａの内部に収納されるＬＥＤ電源装置１３０と、外郭部１１０の外方に延出する１６枚の放熱部１４０と、本体１２０ａに取付けられるＬＥＤ光源基板１５０と、このＬＥＤ光源基板１５０を覆うように本体１２０ａに取付けられる透光カバー１６０と、を備える。
【００５７】
本体１２０ａは、ＬＥＤ光源基板１５０および、このＬＥＤ光源基板１５０を覆う透光カバー１６０が取付けられる基板取付部１２１と、この基板取付部１２１と同一円周の筒形状部１２２ａと、この筒形状部１２２ａの外周に溝状（凹形状）に形成される８つの本体係合部１２３ａと、を一体的に形成している。
【００５８】
この本体１２０ａは、放熱性を良くするために熱伝導性の高い金属、例えばアルミニウムにて構成されている。
【００５９】
波長変換カバー３００ａは、中空状の円筒形状をなし、本体１２０ａに嵌め込まれる弾性変形可能な弾性部３１０ａと、この弾性部３１０ａの一端から外方向に広がる略円形の連結部３２０と、この連結部３２０の端部から半球状に形成され、内部が中空状のカバー部３３０と、を備える。
【００６０】
この波長変換カバー３００ａの弾性部３１０ａが本体１２０の周枠に嵌め込まれ、カバー部３３０がＬＥＤ光源基板１５０および透光カバー１６０を覆う。
【００６１】
また、この波長変換カバー３００ａは、合成樹脂からなり、弾性部３１０ａと、連結部３２０と、カバー部３３０が一体的に形成されている。
【００６２】
弾性部３１０ａは、内壁から内側に突出する８つの凸部形状のカバー係合部３１１ａと、外壁にカバー係合部３１１ａを形成するときに生じる凹部３１２ａと、を有する。
【００６３】
カバー係合部３１１ａの凸部形状は、Ｒ形状（断面形状が半円形状）とし、本体係合部１２３ａとの引っかかりを少なくして、電球形ＬＥＤ本体１００ａに波長変換カバー３００ａを取り付ける、あるいは取り外す作業が容易にできるようになっている。
【００６４】
なお、本実施の形態では、カバー係合部３１１ａの凸部形状がＲ形状の場合について説明するが、他の形状、例えば、尖り形状でも構わなく、また、電球形ＬＥＤ本体１００ａ側に凸部、波長変換カバー３００ａ側に凹部を形成するようにしても構わない。
【００６５】
このように、本体係合部１２３ａとカバー係合部３１１ａを複数所定間隔ごとに配置すると、隣り合う本体係合部１２３ａ：１２３ａの間に形成される筒形状部１２２が、隣り合うカバー係合部３１１ａ：３１１ａに挟まれるので、波長変換カバー３００ａが円周方向に回転するのを防止することができる。
【００６６】
なお、本実施の形態では８つの本体係合部１２３ａと、これに対応して８つのカバー係合部３１１ａとを備える場合について説明するが、本体係合部１２３ａとカバー係合部３１１ａは、７つ以下あるいは９つ以上であってもよい。また、波長変換カバー３００ａを電球形ＬＥＤ本体１００ａに取り付ける際、カバー係合部３１１ａが本体係合部１２３ａに嵌まり込めばよいので、本体係合部１２３ａの数がカバー係合部３１１ａの数よりも多くても構わない。
【００６７】
この実施の形態における電球形ＬＥＤ１０００ａは、ＬＥＤ電源装置１３０、ＬＥＤ光源基板１５０を取り付けられる構造の電球形ＬＥＤ本体１００ａに着脱可能な波長変換カバー３００ａを有するので、容易に波長変換カバー３００ａが交換可能となり、ユーザーが容易に光色を変更することが可能となる。
【００６８】
この実施の形態における電球形ＬＥＤ１０００ａは、ＬＥＤ電源装置１３０、ＬＥＤ光源基板１５０を取付られる構造の電球形ＬＥＤ本体１００ａと、波長変換カバー３００ａを有するので、波長変換カバー３００ａが取り扱い等にて破損・変形した場合、電球形ＬＥＤ１０００ａごと交換せずに波長変換カバー３００ａを交換することが可能であり、電球形ＬＥＤ本体１００ａの寿命まで使用することが可能となる。
【００６９】
実施の形態３．
本実施の形態は、実施の形態１の電球形ＬＥＤの本体係合部とカバー係合部の形状が異なるものである。
本実施の形態において、実施の形態１と同様の構成については同符号を付して説明を省略し、異なる構成について詳細に説明する。
【００７０】
図１５は、実施の形態３における電球形ＬＥＤの構成を示す断面図であり、図１６は、図１５の電球形ＬＥＤ本体から波長変換カバーを外した状態を示す断面図である。
【００７１】
電球形ＬＥＤ１０００ｂは、両端が開口されたラッパ形状の電球形ＬＥＤ本体１００ｂと、この電球形ＬＥＤ本体１００ｂの一端に取付けられる口金部２００と、電球形ＬＥＤ本体１００ｂの他端に取付けられる波長変換カバー３００ｂと、を備える。
【００７２】
電球形ＬＥＤ本体１００ｂは、外郭を形成する外郭部１１０と、この外郭部１１０の内側に設けられる円筒形状の本体１２０ｂと、この本体１２０ｂの内部に収納されるＬＥＤ電源装置１３０と、外郭部１１０の外方に延出する１６枚の放熱部１４０と、本体１２０ｂに取付けられるＬＥＤ光源基板１５０と、このＬＥＤ光源基板１５０を覆うように本体１２０ｂに取付けられる透光カバー１６０と、を備える。
【００７３】
本体１２０ｂは、ＬＥＤ光源基板１５０が取付けられる基板取付部１２１と、この基板取付部１２１と同一円周の筒形状部１２２と、この筒形状部１２２に設けられ、波長変換カバー３００ｂを係合する本体係合部１２３ｂと、を備える。
【００７４】
本体係合部１２３ｂは、筒形状部１２２の外周の端部側からネジ加工が施されて形成される。
【００７５】
波長変換カバー３００ｂは、連結部３２０と、この連結部３２０の外方端部に接続され、半球状のカバー部３３０と、連結部３２０の内側から突出する円筒形状の突出部３４０と、を備える。
【００７６】
波長変換カバー３００ｂは、透過性のある材料である合成樹脂もしくはガラスにて構成される。
【００７７】
突出部３４０は、内壁にネジ加工が施されて、カバー係合部３４１を形成する。
【００７８】
次に、電球形ＬＥＤ本体１００ｂに波長変換カバー３００ｂを着脱する工程について説明する。
【００７９】
まず、電球形ＬＥＤ本体１００ｂに波長変換カバー３００ｂを取付ける工程について説明する。
【００８０】
ユーザーが把持した波長変換カバー３００ｂの突出部３４０を本体１２０ｂに当て、波長変換カバー３００ｂを回転させると、カバー係合部３４１が本体係合部１２３ｂにねじ込まれていき、波長変換カバー３００ｂのカバー底面（連結部３２０）が電球形ＬＥＤ本体１１０ｂの本体端部に接触し、波長変換カバー３００ｂが電球形ＬＥＤ本体１００ｂに固定（螺着）される。
【００８１】
この際、波長変換カバー３００ｂの底面（連結部３２０）と電球形ＬＥＤ本体１１０ｂが接触する接触部分に、ねじ込み過ぎによる波長変換カバー３００ｂの破損防止をするためのパッキン等の干渉材を挟み込んでも良い。
【００８２】
次に、波長変換カバー３００ｂを電球形ＬＥＤ本体１００ｂから取り外す工程について説明する。
【００８３】
ユーザーは、波長変換カバー３００ｂを把持して回転させると、カバー係合部３４１が本体係合部１２３ｂへのねじ込み（螺着）が解除され、波長変換カバー３００ｂが電球形ＬＥＤ本体１００ｂから外れる。
【００８４】
電球形ＬＥＤ１０００ｂの光色を変更したい場合には、他の発光色に変換する蛍光体が塗布された波長変換カバーを、上述の取り付け方法にて、電球形ＬＥＤ本体１００ｂに取付ける。
【００８５】
この実施の形態における電球形ＬＥＤ１０００ｂは、ＬＥＤ電源装置１３０、ＬＥＤ光源基板１５０を取り付けられる構造の電球形ＬＥＤ本体１００ｂに着脱可能な波長変換カバー３００ｂを有するので、容易に波長変換カバー３００ｂが交換可能となり、ユーザーが容易に光色を変更することが可能となる。
【００８６】
この実施の形態における電球形ＬＥＤ１０００ｂは、ＬＥＤ電源装置１３０、ＬＥＤ光源基板１５０を取り付けられる構造の電球形ＬＥＤ本体１００ｂと、波長変換カバー３００ｂを有するので、波長変換カバー３００ｂが取り扱い等にて破損・変形した場合、電球形ＬＥＤ１０００ｂごと交換せずに波長変換カバー３００ｂを交換することが可能であり、電球形ＬＥＤ本体１００ｂの寿命まで使用することが可能となる。
【００８７】
実施の形態４．
本実施の形態は、実施の形態１の変形例である。
本実施の形態において、実施の形態１と同様の構成については同符号を付し、説明を省略する。
【００８８】
図１７は、実施の形態４の電球形ＬＥＤの断面を示す断面図であり、図１８は、図１７の電球形ＬＥＤ本体から波長変換カバーを取り外した状態を示す断面図である。
【００８９】
電球形ＬＥＤ１０００ｃは、両端が開口されたラッパ形状の電球形ＬＥＤ本体１００ｃと、この電球形ＬＥＤ本体１００ｃの一端に取付けられる口金部２００と、電球形ＬＥＤ本体１００ｃの他端に取付けられる波長変換カバー３００ｃと、を備える。
【００９０】
電球形ＬＥＤ本体１００ｃは、外郭を形成する外郭部１１０と、この外郭部１１０の内側に設けられる円筒形状の本体１２０ｃと、この本体１２０の内部に収納されるＬＥＤ電源装置１３０ａと、外郭部１１０の外方に延出する１６枚の放熱部１４０と、本体１２０に取付けられるＬＥＤ光源基板１５０と、このＬＥＤ光源基板１５０を覆うように本体１２０ｃに取付けられる透光カバー１６０と、ＬＥＤ電源装置１３０ａと電気的に接続されるスイッチ１８０と、を備える。
【００９１】
本体１２０ｃは、ＬＥＤ光源基板１５０及びこのＬＥＤ光源基板１５０を覆う透光カバー１６０が取付けられる基板取付部１２１と、この基板取付部１２１と同一円周の筒形状部１２２ｃと、この筒形状部１２２ｃの外周に本体係合部１２３と、筒形状部１２２ｃに設けられる本体穴部１２４と、を一体的に形成している。
【００９２】
スイッチ１８０は、本体１２０ｃ（本体穴部１２４）から突出する操作部１８１と、この操作部１８１が操作されることにより接点が切り替わる接点部１８２（図示しない）と、この接点部１８２が収納されるスイッチ本体１８３と、このスイッチ本体１８３から引き出され、ＬＥＤ電源装置１３０ａと電気的に接続するスイッチ電線１８４と、を備える。
【００９３】
波長変換カバー３００ｃは、中空状の円筒形状をなし、本体１２０ｃに嵌め込まれる弾性変形可能な弾性部３１０ｃと、この弾性部３１０ｃの一端から外方向に広がる略円形の連結部３２０と、この連結部３２０の端部から半球状に形成され、内部が中空状のカバー部３３０と、弾性部３１０ｃの端部から末広がりに広がるテーパー部３５０と、を備える。
【００９４】
この波長変換カバー３００ｃの弾性部３１０ｃが、本体１２０ｃの周枠に嵌め込まれ、カバー部３３０がＬＥＤ光源基板１５０および透光カバー１６０を覆う。
【００９５】
この波長変換カバー３００ｃは、合成樹脂からなり、弾性部３１０ｃと、連結部３２０と、カバー部３３０が一体的に形成されている。
【００９６】
波長変換カバー３００ｃを電球形ＬＥＤ本体１００ｃに取付ける工程について説明する。
【００９７】
まず、ユーザーが把持した波長変換カバー３００ｃのテーパー部３５０を電球形ＬＥＤ本体１００ｃの本体１２０ｃに押し当てる。
【００９８】
波長変換カバー３００ｃを押し込み始めると、テーパー部３５０の内壁が操作部１８１に接触し、テーパー部３５０の内壁によって次第に操作部１８１が本体１２０ｃの内側に押し込まれていく。
【００９９】
さらに波長変換カバー３００ｃを押し込むと、本体１２０ｃの外郭にカバー係合部３１１が接触し、カバー係合部３１１と弾性部３１０ｃが弾性変形するとともに、弾性部３１０ｃが操作部１８１を本体１２０の内側に押し込んだ状態を維持する。
【０１００】
テーパー部３５０および弾性部３１０ｃによって、操作部１８１が本体１２０ｃの内側に押し込まれた状態になると、接点部１８２が切り替えられ、ＬＥＤ電源装置１３０ａは、ＬＥＤ１５２への電力供給を開始、つまりＬＥＤ１５２を点灯させる。
【０１０１】
さらに、波長変換カバー３００ｃが押し込まれ、カバー係合部３１１が本体係合部１２３に嵌まり込むと、弾性部３１０と本体係合部１２３の弾性変形が解除され、波長変換カバー３００ｃが電球形ＬＥＤ本体１００ｃに係合する。
【０１０２】
次に、波長変換カバー３００ｃを電球形ＬＥＤ本体１００ｃから取り外す工程について説明する。
【０１０３】
ユーザーは、波長変換カバー３００ｃを把持し、電球形ＬＥＤ本体１００ｃから引っ張ると、カバー係合部３１１が本体係合部１２３から外れ、カバー係合部３１１が外郭部１１０に接触して、弾性部３１０ｃとカバー係合部３１１が弾性変形する。
【０１０４】
さらに波長変換カバー３００ｃを引っ張ると、操作部１８１がテーパー部３５０に接触し、次第に操作部１８１が外郭部１１０の外側方向に可動する。操作部１８１が外郭部１１０の外側方向に可動すると、接点部１８２が切り替えられ、ＬＥＤ電源装置１３０は、ＬＥＤ１５２への電力供給を停止、つまり、ＬＥＤ１５２を消灯させる。
【０１０５】
この状態で、波長変換カバー３００ｃを引っ張って外すと、弾性部３１０ｃとカバー係合部３１１の弾性変形が解除される。
【０１０６】
要するに、波長変換カバー３００ｃが電球形ＬＥＤ本体１００ｃに取付けられるとき、ＬＥＤ電源装置１３０ａは、ＬＥＤ１５２に電力を供給して点灯させ、波長変換カバー３００ｃが電球形ＬＥＤ本体１００ｃから外されるとき、ＬＥＤ電源装置１３０ａは、ＬＥＤ１５２への電力供給を遮断して消灯する。
【０１０７】
このように、波長変換カバー３００ｃを外したとき、ＬＥＤ１５２を消灯させるので、例えば、ＬＥＤ１５２が発する光をユーザーが直視するのを防ぐことができる。
【０１０８】
また、実施の形態１と同様に、電球形ＬＥＤ１０００ｃの光色を変更することもでき、また、波長変換カバー３００ｃが破損した場合に、電球形ＬＥＤ本体１００ｃを変えずに、波長変換カバー３００ｃを交換することもできる。
【０１０９】
また、本実施の形態は、実施の形態２または実施の形態３の電球形ＬＥＤ１０００ａ、１０００ｂにも適用可能である。
【符号の説明】
【０１１０】
１０００、１０００ａ、１０００ｂ、１０００ｃ  電球形ＬＥＤ、１００、１００ａ、１００ｂ、１００ｃ  電球形ＬＥＤ本体、１１０  外郭部、１２０、１２０ａ、１２０ｂ、１２０ｃ  本体、１２１  基板取付部、１２２、１２２ａ、１２２ｂ、１２２ｃ  筒形状部、１２３、１２３ａ、１２３ｂ、１２３ｃ  本体係合部、１２４  本体穴部、１３０、１３０ａ  ＬＥＤ電源装置、１３１  電源回路部、１３２  口金用電線、１３３  基板用電線、１４０  放熱部、１５０  ＬＥＤ光源基板、１５１  基板、１５２  発光ダイオード（ＬＥＤ）、１６０  透光カバー、１６１  半球カバー部、１６２  取付平面部、１７０  取付ネジ、１８０  スイッチ、１８１  操作部、１８３  スイッチ本体、１８４  スイッチ電線、２００  口金部、３００、３００ａ、３００ｂ、３００ｃ  波長変換カバー、３１０  弾性部、３１１、３１１ａ、３１１ｂ、３１１ｃ  カバー係合部、３１２、３１２  凹部、３２０  連結部、３３０  カバー部、３３１  蛍光体、３４０  突出部、３５０  テーパー部。
【図１】
0005803324.tif 000002
【図２】
0005803324.tif 000003
【図３】
0005803324.tif 000004
【図４】
0005803324.tif 000005
【図５】
0005803324.tif 000006
【図６】
0005803324.tif 000007
【図７】
0005803324.tif 000008
【図８】
0005803324.tif 000009
【図９】
0005803324.tif 000010
【図１０】
0005803324.tif 000011
【図１１】
0005803324.tif 000012
【図１２】
0005803324.tif 000013
【図１３】
0005803324.tif 000014
【図１４】
0005803324.tif 000015
【図１５】
0005803324.tif 000016
【図１６】
0005803324.tif 000017
【図１７】
0005803324.tif 000018
【図１８】
0005803324.tif 000019